(57)【要約】【課題】  簡単な構成で、表面反射率の異なる２種類の判別対象物で構成される４つの状態を確実に判別できる判別装置を得る。【解決手段】  判別装置７７は、有／無センサ８２及び判別センサ８４、８６で構成される。有／無センサ８２は、照射した光が、判別対象物であるメディア（平版印刷版２０又は合紙２２）で反射されたか否かでメディアの有／無を判断できる。判別センサ８４、８６では、メディアの表面反射率の違いに基づく反射光の強度によって平版印刷版２０と合紙２２とを判別する。これら３つの光センサで、搬送されるメディアの４つの態様を確実に判別することができる。判別のためには、これら３つの光センサで十分であり、これら以外の部材を設ける必要はないので、構成も簡単となる。【選択図】        図５
2005249403.tif 000002
【特許請求の範囲】
【請求項１】
表面反射率の異なる２種類の判別対象物の種類を判別する判別装置であって、
２種類の判別対象物のいずれによってもＯＮ状態又はＯＦＦ状態に切り替わる第１光センサと、
前記反射光を受ける受光部を有し、表面反射率が相対的に高い高反射率対象物からの反射光によってＯＮ状態又はＯＦＦ状態に切り替わる第２光センサと、
前記反射光を受ける受光部を有し、表面反射率が相対的に低い低反射率対象物からの反射光によってＯＮ状態又はＯＦＦ状態に切り替わる第３光センサと、
を有することを特徴とする判別装置。
【請求項２】
前記第１光センサが、
前記判別対象物に対して発光する発光部と、
前記発光部で射出され判別対象物の表面で反射された反射光が入射する反射光受光部と、
を備えていることを特徴とする請求項１に記載の判別装置。
【請求項３】
前記第２光センサ及び前記第３光センサの少なくとも一方が、
前記判別対象物に対して発光する発光部と、
前記発光部で射出され判別対象物の表面で散乱された散乱光の一部が入射する散乱光受光部と、
を備えていることを特徴とする請求項１又は請求項２に記載の判別装置。
【請求項４】
前記判別対象物が、平版印刷版と、この平版印刷版に重ね合わせられた合紙とで構成され、
前記第１光センサが、前記平版印刷版と前記合紙のいずれによってもＯＮ状態又はＯＦＦ状態に切り替わり、
前記第２光センサが、前記平版印刷版からの反射光によってＯＮ状態又はＯＦＦ状態に切り替わり、
前記第３光センサが、前記合紙からの反射光によってＯＮ状態又はＯＦＦ状態に切り替わる、
ことを特徴とする請求項１〜請求項３のいずれか１項に記載の判別装置。
【請求項５】
前記第２光センサ及び前記第３光センサの少なくとも一方の発光部が、５７０ｎｍ〜７４０ｎｍの波長の光を発光可能とされていることを特徴とする請求項４に記載の判別装置。
【発明の詳細な説明】
【技術分野】
【０００１】
本発明は、判別装置に関し、さらに詳しくは、２種類の判別対象物をその反射光を利用して判別可能な判別装置に関し、たとえば、平版印刷版と合紙とで構成される４つの組み合わせのいずれであるかを判別するための判別装置に好適に適応される。
【背景技術】
【０００２】
従来の判別装置として、平版印刷版と、この平版印刷版の感光面を保護する合紙とを判別するための判別装置を例に挙げて説明する。
【０００３】
一般に、平版印刷版には、その画像記録面に保護用の合紙が密着され、さらにこれらが厚み方向に複数積層されて平版印刷版の版束が構成されることが多い。そして、平版印刷版に露光装置等で画像記録する場合には、この版束から平版印刷版又は合紙を１枚ずつ取り出して露光装置に供給する必要がある。取り出される部材としては、平版印刷版に合紙が密着した状態のもの、平版印刷版単独、合紙単独の３つの場合があり、さらに、何も取り出されない状態もある。したがって、簡単な構成で、これら４つの状態を確実に判別できることが好ましい。
【０００４】
たとえば、特許文献１に記載の判別装置では、交互に積層されたフォトポリマー版及び合紙の上方に、一対の光センサが配置されている。これらの光センサの一方は他方よりも検出レベルが下げられており、このため、フォトポリマー版からの反射光では、双方の光センサがＯＮとなり、合紙からの反射光では、一方の光センサがＯＦＦになる。これにより、フォトポリマー版か合紙かを判別できるようになっている。
【０００５】
しかしながら、この判別装置では、最上層に位置しているものがフォトポリマー版か合紙かを単に判別できるだけであり、上記の４つの状態を判別できない。
【特許文献１】特開２００１−２４７２５４号公報
【発明の開示】
【発明が解決しようとする課題】
【０００６】
本発明は上記事実を考慮し、簡単な構成で、表面反射率の異なる２種類の判別対象物で構成される４つの状態を確実に判別できる判別装置を得ることを課題とする。
【課題を解決するための手段】
【０００７】
請求項１に記載の発明では、表面反射率の異なる２種類の判別対象物の種類を判別する判別装置であって、２種類の判別対象物のいずれによってもＯＮ状態又はＯＦＦ状態に切り替わる第１光センサと、前記反射光を受ける受光部を有し、表面反射率が相対的に高い高反射率対象物からの反射光によってＯＮ状態又はＯＦＦ状態に切り替わる第２光センサと、前記反射光を受ける受光部を有し、表面反射率が相対的に低い低反射率対象物からの反射光によってＯＮ状態又はＯＦＦ状態に切り替わる第３光センサと、を有することを特徴とする。
【０００８】
すなわち、この判別装置では、判別対象物のいずれか一方が存在していれば、第１光センサがこれによってＯＮ状態又はＯＦＦ状態に切り替わり、その存在を検知できる。
【０００９】
判別対象物が高反射率対象物を含んでいる場合には、この高反射率対象物からの反射光によって第２光センサがＯＮ状態又はＯＦＦ状態に切り替わり、その存在を検知できる。また、判別対象物が低反射率対象物を含んでいる場合には、この低反射率対象物からの反射光によって第３光センサがＯＮ状態又はＯＦＦ状態に切り替わり、その存在を検知できる。これにより、第２光センサと第３光センサとのＯＮ状態及びＯＦＦ状態の組み合わせから、高反射率対象物と低反射率対象物の双方が存在している状態と、これらの一方のみが存在している状態を判別できる。
【００１０】
このように、本発明では、３つの光センサを設けるだけの簡単な構成で、判別対象物の４つの状態を確実に判別できる。
【００１１】
請求項２に記載の発明では、請求項１に記載の発明において、前記第１光センサが、
前記判別対象物に対して発光する発光部と、前記発光部で射出され判別対象物の表面で反射された反射光が入射する反射光受光部と、を備えていることを特徴とする。
【００１２】
第１光センサは発光部を有しているので、あらたに発光部を設ける必要がなく、構成をより簡単にできる。
【００１３】
また、この発光部で射出され判別対象物の表面で反射された反射光が入射する反射光受光部を備えているので、反射光受光部の位置合わせなどを行う必要がなくなる。
【００１４】
請求項３に記載の発明では、請求項１又は請求項２に記載の発明において、前記第２光センサ及び前記第３光センサの少なくとも一方が、前記判別対象物に対して発光する発光部と、前記発光部で射出され判別対象物の表面で散乱された散乱光の一部が入射する散乱光受光部と、を備えていることを特徴とする。
【００１５】
第２光センサ及び第３光センサの少なくとも一方は発光部を有しているので、あらたに発光部を設ける必要がなく、構成をより簡単にできる。
【００１６】
また、この発光部で射出され判別対象物の表面で散乱された散乱光が入射する散乱光受光部を備えているので、散乱光受光部の位置合わせなどを行う必要がなくなる。
【００１７】
なお、第２光センサ及び第３光センサは、たとえば、第１光センサと同一構成のものを使用し、判別対象物からの反射光が直接的に入射しないように所定の傾斜をつけて配置する等により構成できる。光センサとして同一構成のものを使用できるので、低コストとなる。
【００１８】
請求項４に記載の発明では、請求項１〜請求項３のいずれか１項に記載の発明において、前記判別対象物が、平版印刷版と、この平版印刷版に重ね合わせられた合紙とで構成され、前記第１光センサが、前記平版印刷版と前記合紙のいずれによってもＯＮ状態又はＯＦＦ状態に切り替わり、前記第２光センサが、前記平版印刷版からの反射光によってＯＮ状態又はＯＦＦ状態に切り替わり、前記第３光センサが、前記合紙からの反射光によってＯＮ状態又はＯＦＦ状態に切り替わる、ことを特徴とする。
【００１９】
一般に、平版印刷版と合紙とでは、たとえばこれらを分離した後の処理が全く異なるので、これらを確実に分離したり、異なる処理工程に搬送したりする必要がある。請求項４に記載の判別装置では、平版印刷版と合紙とで構成される４つの状態を確実に判別できるので、その後の分離や搬送を容易且つ確実に行うことが可能となる。
【００２０】
請求項５に記載の発明では、請求項４に記載の発明において、前記第２光センサ及び前記第３光センサの少なくとも一方の発光部が、５７０ｎｍ〜７４０ｎｍの波長の光を発光可能とされていることを特徴とする。
【００２１】
このような波長範囲の光を使用すると、平版印刷版と合紙とで、吸光度（光吸収率）の差が大きくなり、より容易且つ確実に判別できるようになる。
【発明の効果】
【００２２】
本発明は上記構成としたので、簡単な構成で、表面反射率の異なる２種類の判別対象物で構成される４つの状態を確実に判別できる。
【発明を実施するための最良の形態】
【００２３】
図１には、本発明の第１実施形態の平版印刷版供給装置１２の全体構成が示されている。また、図２には、この平版印刷版供給装置１２の載置部１４及び送り出し部１６が、載置部１４に版束１８を載置した状態で示されている。
【００２４】
平版印刷版はアルミニウムなどで板状に形成された支持体の一面に感光剤が塗布されて感光剤面２０Ｅが構成されており、図４に示すように、この感光剤面２０Ｅを保護する合紙２２と平版印刷版２０とが交互に積層されて、版束１８が構成されている。なお、図４に示した状態のものは、感光剤面２０Ｅが上を向くように積層されており、最上の平版印刷版２０の感光剤面２０Ｅを保護する合紙２２は既に除去されている。以下では、この状態での平版印刷版２０とその下側の合紙２２とで構成される組が、後述する「重送」において搬送の単位となるため、これを積層組２４とする。
【００２５】
図４（Ａ）〜（Ｃ）には、平版印刷版供給装置１２で取り出される平版印刷版２０又は合紙２２の３つの態様が示されている。図４（Ａ）では、版束１８から、最上の積層組２４Ａ、すなわち最上の平版印刷版２０Ａとその下側の合紙２２Ａとが１組として取り出される態様であり、以下これを「重送」という。（以下、平版印刷版２０と合紙２２とを総称して「メディア」という）。また、図４（Ｂ）では、合紙２２は取り出さず平版印刷版２０を１枚のみを取り出す態様であり、以下これを「単送」という。なお、この「単送」には、合紙２２が最上に位置している場合に、この合紙２２のみを取り出す態様も含まれる。図４（Ｃ）に示すものは、上記の積層組２４が複数重なった状態で取り出される態様であり、以下これを「多重送」という。本実施形態では、後述するピックアップローラ４２から版束１８に作用する荷重Ｗを調整することで、多重送を防止し、少なくとも確実に重送できる（好ましくは重送と単送とを任意に切替えできる）ようになっている。したがって、図５（Ａ）〜（Ｄ）に示すように、本実施形態における搬送の態様には、重送（図５（Ａ））、メディア無し（図５（Ｂ））、合紙２２のみの単送（図５（Ｃ））及び平版印刷版２０のみの単送（図５（Ｄ））の４つがある。以下、平版印刷版２０の送り出し方向を矢印Ｆで、これと直交する方向（平版印刷版２０の幅方向）を矢印Ｗでそれぞれ示す。
【００２６】
平版印刷版供給装置１２は台部２６を備えており、この台部２６上に、載置部１４及び送り出し部１６が配置されている。台部２６にはキャスター２８が取り付けられており、平版印刷版供給装置１２全体を移動させて、たとえば露光装置の平版印刷版挿入部等へ着脱させることができる。
【００２７】
図２に示すように、載置部１４は、扁平な四角形の載置トレイ３０を有しており、載置トレイ３０内には、２つの側端ガイド板３２と、１つの後端ガイド板３４が配置されている。側端ガイド板３２は図示しないスライド機構によって矢印Ｗ方向にスライドし、平版印刷版２０のサイズに合わせて版束１８、すなわち、複数枚の積層組２４の側面を位置揃えする。同様に、後端ガイド板３４も図示しないスライド機構によって矢印Ｆ方向（及びその反対方向）にスライドし、版束１８（複数枚の積層組２４）の後端を位置揃えする。
【００２８】
載置部１４には、載置された版束１８の周囲を覆うように、複数のカバー３６が設けられている。版束１８の搬送方向下流側の端部を覆うカバー３６Ａは、露光装置等に装着されると図示しない押圧部材によって上方に押圧されて、図１に示すように、ヒンジ３８を中心に回動し、跳ね上がるようになっている。
【００２９】
載置部１４の上方には、平版印刷版２０の幅方向に沿ってホルダー４０が掛け渡されている。ホルダー４０には、載置部１４に載置された版束１８の上方に位置するように、ピックアップローラ４２が回転可能に取り付けられており、駆動モータ４４の駆動力が無端ベルト４６を介して作用し、平版印刷版２０（又は合紙２２）を搬送する方向への回転（順転）する。
【００３０】
ホルダー４０は、その幅方向両端で、且つ搬送方向下流側に設けられた支軸４８を中心に回動可能とされている。ホルダー４０の側方に設けられた駆動ユニット５０からの回動駆動力で、ピックアップローラ４２が版束１８に所定の荷重Ｗを作用さでて接触する搬送位置と、版束１８から離間した離間位置との間を回動する。
【００３１】
載置トレイ３０の底部は、搬送方向上流側に設けられた図示しないヒンジによって揺動する載置板５２とされている。載置板５２に版束１８が載置された状態で、載置板５２が図示しない付勢部材で上方に付勢され、最上の平版印刷版２０（又は合紙２２）が確実にピックアップローラ４２に接触する。
【００３２】
載置部１４よりも搬送方向下流には、搬送方向に所定間隔を空けて２枚のガイドプレート５４、５６が配置されている。平版印刷版２０は、これらのガイドプレート５４、５６に支持されつつ搬送される。
【００３３】
ガイドプレート５４、５６の間には、合紙分離装置５８が配置されている。合紙分離装置５８は、搬送方向に沿って順に配置された、搬送ローラユニット６０及びリタードローラユニット６２を有している。これらはいずれも、幅方向に沿って掛け渡された回転可能なシャフト６４と、このシャフト６４に所定間隔をあけて固定された複数のゴムローラ６６とで構成されている。駆動モータ６１からの駆動力を受けて回転すると、搬送ローラユニット６０のゴムローラ６６が矢印Ｒ１方向に回転（順転）し、リタードローラユニット６２のゴムローラ６６は矢印Ｒ１と逆方向に回転（逆転）する。
【００３４】
リタードローラユニット６２は、その一端側に設けられた駆動ユニット６８により、搬送中の合紙２２に接触する接触位置（図３に実線で示す位置）と、合紙２２から離間する離間位置（図３に一点鎖線で示す位置）との間を移動（昇降）する。接触位置では、合紙２２への接触状態でリタードローラユニット６２が逆転するので、合紙２２を平版印刷版２０から分離できる。また、搬送ローラユニット６０のゴムローラ６６との間で合紙２２をニップできるように、リタードローラユニット６２のゴムローラ６６が搬送ローラユニット６０のゴムローラ６６に接触する。
【００３５】
搬送ローラユニット６０の上方には、ニップローラ７０が幅方向に沿って回転可能に掛け渡されている。ニップローラ７０はその自重によって、搬送ローラユニット６０のゴムローラ６６との間で平版印刷版２０及び合紙２２をニップ可能に接触している。ニップした状態で、搬送ローラユニット６０のゴムローラ６６が矢印Ｒ１方向に回転すると、平版印刷版２０及び合紙２２が矢印Ｆ方向に搬送される。なお、図３から分かるように、ニップローラ７０とリタードローラユニット６２のゴムローラ６６との間には、平版印刷版２０及び合紙をニップしない程度の隙間が構成されている。
【００３６】
搬送ローラユニット６０及びリタードローラユニット６２の下方には、それぞれ合紙搬送ローラユニット７２Ａ、７２Ｂが配置されている。合紙搬送ローラユニット７２Ａ、７２Ｂも搬送ローラユニット６０やリタードローラユニット６２と同様にシャフト６４とゴムローラ６６とで構成されており、合紙搬送ローラユニット７２Ａ、７２Ｂのゴムローラ６６間で、合紙２２をニップすることができるようになっている。搬送ローラユニット６０のシャフト６４と合紙搬送ローラユニット７２Ａのシャフト６４とには無端状の駆動ベルト７４が巻き掛けられており、合紙搬送ローラユニット７２Ａが搬送ローラユニット６０と同期して同方向に回転する。同様に、リタードローラユニット６２のシャフト６４と合紙搬送ローラユニット７２Ｂのシャフト６４とにも駆動ベルト７４が巻き掛けられている。したがって、合紙搬送ローラユニット７２Ａ、７２Ｂのゴムローラ６６の間に合紙２２をニップした状態で回転することで、ニップされた合紙２２を下方へと搬送することができる。このとき、駆動ベルト７４によっが、合紙２２が案内される。
【００３７】
合紙搬送ローラユニット７２Ａ、７２Ｂの下方には、図２に示すように、集積箱７６が設けられており、合紙２２が集積される。
【００３８】
図２及び図３に示すように、ホルダー４０には、ピックアップローラ４２よりも搬送方向上流側に、有／無センサ７８及び判別センサ８０が取り付けられいる。また、ガイドプレート５４にも、上流側から順に有／無センサ８２及び判別センサ８４が配置され、その上方には、図示しない保持部材によって、判別センサ８６が保持されている。さらに、ガイドプレート５６にも、上流側から順に有／無センサ８８及び判別センサ９０が設けられている。これらの有／無センサ７８、８２、８８では、メディア（平版印刷版２０又は合紙２２）の有／無が検出され、判別センサ８０、８４、８６、９０では、これが平版印刷版２０であるか合紙２２であるかを判別する。
【００３９】
有／無センサ７８に対応して、載置トレイ３０の載置板５２には、切欠７９が形成されている。版束１８（平版印刷版２０又は合紙２２）が載置板５２上に載置されていると、有／無センサ７８からの光が平版印刷版２０で反射され、この反射光を受ける。載置されていないと、有／無センサ７８からの光は切欠７９を通過する。これにより、版束１８の有／無を検出できる。
【００４０】
なお、有／無センサ８２と、判別センサ８４、８６とで、本発明の判別装置７７が構成されている。以下、表１、図５及び図６を参照して、判別装置７７を構成するこれらのセンサにつき、詳述する。
【００４１】
【表１】
2005249403.tif 000003
図６（Ａ）に示すように、有／無センサ８２は、発光部９４及び受光部９６を有する反射光型センサとされている。発光部９４から光を照射し、この光が、判別対象物である平版印刷版２０又は合紙２２で反射されて受光部９６で受けた場合（図６（Ａ−１）参照）にはメディアを「有り」、受光部９６で受けなかった場合（図６（Ａ−２）参照））にはメディアを「無し」と判断する。
【００４２】
判別センサ８４、８６は、有／無センサ８２と同様に発光部９４及び受光部９６を有しているが、図６（Ｂ−１）〜（Ｂ−３）に示すように、メディアに対して傾けて配置されている。
【００４３】
判別センサ８４では、平版印刷版２０のバック面２０Ｂ側に対し光を照射し、その表面反射率の違いに基づく反射光の強度によって平版印刷版２０と合紙２２とを判別する。すなわち、平版印刷版２０のバック面２０Ｂに合紙２２が密着している場合（重送）及び、合紙２２の単送の場合には、図６（Ｂ−１）に示すように、合紙２２の表面反射率は低く、光は合紙２２で散乱される。この散乱光の一部が受光部９６に入射するので、合紙２２の存在を検出できる。また、平版印刷版２０のバック面２２Ｂに合紙２２が密着していない場合（平版印刷版２０の単送）には、平版印刷版２の表面反射率は相対的に高いので、光が散乱されることなく反射される。そして、図６（Ｂ−２）に示すように、バック面２２Ｂで反射された光が受光部９６に入射しないように判別センサ８４は配置されており、これによって平版印刷版２０が存在していることを検出できる。なお、この判別センサ８６は、有／無センサ８２と同一構成のものをメディアに対して傾けて配置するだけで構成できる。
【００４４】
これに対し、判別センサ８６では、以下に説明するように、平版印刷版２０と合紙２２とでの吸光度の違いを利用して、メディアが平版印刷版２０であるか、又は合紙２２であるかを判別するようになっている。
【００４５】
図７には、平版印刷版２０の感光剤面２０Ｅと、合紙２２とでの吸光度の違いの一例が示されている。このグラフから分かるように、波長が５７０〜７４０ｎｍの範囲の光の場合には、感光剤面２０Ｅでの吸光度が大きくなるが、合紙２２での吸光度は大きくなっておらず、これらの吸光度の差が大きくなる。したがって、５７０〜７４０ｎｍの範囲の波長を使用することが好ましい。このような波長の光をメディアに照射すると、メディアが平版印刷版２０を含んでいる場合（重送及び平版印刷版２０の単送）と合紙２２の単送の場合とで、吸光度の違いによってこれらを判別できる。
【００４６】
搬送ローラユニット６０及びリタードローラユニット６２と、それぞれ対応する合紙搬送ローラユニット７２Ａ、７２Ｂとの間には、合紙検出センサ９２が配置されており、合紙２２の通過を検出できるようになっている。この合紙検出センサ９２は、図６（Ｃ）に示すように、一対の発光部９４及び受光部９６を備えた透過光型センサーとされている。発光部９４と受光部９６とは対向配置されており、合紙２２がこれらの間に存在しているときは、発光部９４の光がさえぎられて受光部９６で受光されないのでＯＦＦとなり、これらの間に何もないときは、受光部９６で光を受けてＯＮとなる。
【００４７】
なお、有／無センサ７８、８８も、有／無センサ８２と同一構成のものを適用できる。また、判別センサ８０は判別センサ８６と同一構成のもの、判別センサ９０は判別センサ８４と同一構成のものを適用できる。
【００４８】
また、これらの各光センサの姿勢も、各光センサに求められる作用（メディアの検出や判別）が確実に発揮されれば特に限定されないが、たとえば、有／無センサ７８、８２、８８では、メディアに対する光の入射角と反射角とが等しくなる姿勢で配置すると、より確実に反射光を受けることができ、好ましい。
【００４９】
図８（Ａ）には、平版印刷版２０及び合紙２２の分光反射特性が示されている。また、図８（Ｂ）には、メディアからの反射光の方向と反射光量の強度との関係が示されている。図８（Ａ）において、Ｚは入射光の方向を、Ｃは平版印刷版２２からの反射光の方向を、Ｄは合紙２２からの反射光の方向（反射光が比較的強い領域）をそれぞれ示している。合紙２２からの反射光の方向Ｄは、入射光の正反射成分が多くあるものの、実際には特定の方向はなく、いわゆる散乱光になっている。そして、図８（Ｂ）から分かるように、反射光の方向が０度になるようにすると、平版印刷版２２からの反射光Ｃと、合紙２２からの反射光Ｄとの強度差が大きくなり、より確実に判別可能となる。したがって、判別センサ８０、８４、８６、９０については、メディアに対する光の入射角が４５度、反射角が０度となる姿勢で配置することが好ましい。
【００５０】
上記した有／無センサ７８、８２、８８、判別センサ８０、８４、８６、９０及び合紙検出センサ９２による検出情報は、図示しない制御装置に送られ、制御装置は、この情報を基に、平版印刷版供給装置１２の各部を制御する。
【００５１】
上記の構成とされた平版印刷版供給装置１２によって、露光装置に平版印刷版２０を供給する場合、まず、載置部１４に版束１８を載置する。このとき、版束１８の後端１８Ｂが後端ガイド板３４に、側端が側端ガイド板３２にそれぞれ接触して位置揃えされる。
【００５２】
平版印刷版供給装置１２を露光装置の所定位置に装着すると、図１に示すように、カバー３６Ａが上方に回動して、版束１８の一部（前端部近傍）が露出する。
【００５３】
この状態で有／無センサ７８が、載置部１４内での平版印刷版２０又は合紙２２の存在を検出しているため、駆動ユニット５０によってホルダー４０が駆動されて、図４（Ａ）に示すように、ピックアップローラ４２が版束１８に接触する。
【００５４】
ここで、ピックアップローラ４２から版束１８に作用する荷重Ｗは、平版印刷版２０Ａのみを単送する場合と、平版印刷版２０Ａと合紙２２Ａとを組として（すなわち積層組２４Ａを一単位として）重送する場合と、に応じて調整される。したがって、単送と重送とを任意に切替えることができる。以下ではまず、重送の場合について、判別装置７７での判別動作、及び合紙分離装置５８での平版印刷版２０からの合紙２２の分離について説明する。
【００５５】
重送の場合、表１にも示すように、搬送途中において、有／無センサ８２がＯＮ、判別センサ８４がＯＮ、判別センサ８６がＯＦＦとなる。これにより、重送であることと判断される。そして、搬送ローラユニット６０及びピックアップローラユニット６２が回転する。
【００５６】
さらに、有／無センサ８８がＯＮとなり、且つ判別センサ９０もＯＮとなることにより、平版印刷版２０及び合紙２２が重送状態で搬送されていることが検出されると、図９（Ａ）に実線で示すように、リタードローラユニット６２が上昇する。そして、リタードローラユニット６２のゴムローラ６６が逆転しつつ合紙２２に接触することで、合紙２２には、搬送ローラユニット６０からの搬送方向の力と、リタードローラユニット６２からの搬送方向と反対方向の力とが作用するので、平版印刷版２０から分離できる。そして、合紙２２は中間部分が折れ曲がった状態で搬送ローラユニット６０とリタードローラユニット６２のゴムローラ６６に挟持されて下方へ搬送される。これにより、有／無センサ８８ではＯＮが維持されて平版印刷版２０の存在を検出するが、判別センサ９０はＯＦＦとなり、合紙２２が存在していないこと、すなわち平版印刷版２０から合紙２２が除去されていることが分かる。合紙検出センサ９２が合紙２２の通過を検出し、その後端が通過してから所定時間経過後（たとえば５秒後）に搬送ローラユニット６０及びリタードローラユニット６２は停止され、さらにリタードローラユニット６２は離間位置へと降下される。
【００５７】
その後、有／無センサ８８及び判別センサ９０によって、合紙２２が分離された平版印刷版２０が検出される。平版印刷版２０はさらに搬送され、露光装置へと送られる。合紙２２は、集積箱７６に集積される。
【００５８】
これに対し、平版印刷版２０のみが単送された場合には、有／無センサ８２のみがＯＮとなり、判別センサ８４、８６はいずれもＯＮとなるため、平版印刷版２０の単送が確実に検出される。この検出結果に基づいて、リタードローラユニット６２は、図１０に示すように、ゴムローラ６６が逆転したまま、離間位置を維持する。このため、リタードローラユニット６２のゴムローラ６６は平版印刷版２０に接触せず、平版印刷版２０はそのまま搬送されて、露光装置へと送られる。
【００５９】
また、合紙２２のみが単送された場合には、有／無センサ８２及び判別センサ８４、８６のいずれもＯＮとなり、合紙２２の単送が確実に検出される。この検出結果に基づいて、リタードローラユニット６２は、図１１（Ａ）に示すように、ゴムローラ６６が逆転したまま、合紙２２の先端が到達するより前に、接触位置へと上昇する。このとき、リタードローラユニット６２のゴムローラ６６は合紙２２の搬送軌跡内に入り込むことになるので、図１１（Ｂ）に示すように、搬送された合紙２２の先端がゴムローラ６６に当たり、合紙２２は下方へと案内される。そして、搬送ローラユニット６０とリタードローラユニット６２とのゴムローラ６６に挟持されて下方へ搬送される。合紙検出センサ９２が合紙２２の後端の通過を検出してから所定時間経過後に、搬送ローラユニット６０及びリタードローラユニット６２は停止され、リタードローラユニット６２は降下して離間位置にいたる。
【００６０】
以上説明したように、本発明では、判別装置７７として、有／無センサ８２、判別センサ８４、８６の３つの光センサを備えるようにすることで、搬送されるメディアの４つの態様を確実に判別することができる。しかも、判別のためには、これら３つの光センサで十分であり、これら以外の部材を設ける必要はないので、構成も簡単となる。
【図面の簡単な説明】
【００６１】
【図１】本発明の第１実施形態の平版印刷版供給装置を示す側面図である。
【図２】本発明の第１実施形態の平版印刷版供給装置の載置部及び送り出し部を示す斜視図である。
【図３】本発明の第１実施形態の平版印刷版供給装置の載置部及び送り出し部を示す概略正面図である。。
【図４】平版印刷版供給装置での平版印刷版の取り出しにおける態様を説明する説明図であり、（Ａ）は重送、（Ｂ）は単送、（Ｃ）は多重送の場合である。
【図５】本発明の判別装置においてメディアの搬送の態様を判別する状態を示す説明図であり、（Ａ）は重送、（Ｂ）はメディア無し、（Ｃ）は合紙の単送、（Ｄ）は平版印刷版の単送をそれぞれ示す。
【図６】本発明の判別装置を構成する各センサでの動作を示す説明図であり、（Ａ）は有／無センサ、（Ｂ）は判別センサ、（Ｃ）は合紙検出センサである。
【図７】平版印刷版の感光剤面と合紙とで波長と吸光度の関係と示すグラフである。
【図８】（Ａ）は平版印刷版及び合紙の分光反射特性を示すグラフであり、（Ｂ）はメディアからの反射光の方向と反射光量の強度との関係を示すグラフである。
【図９】本発明の第１実施形態の平版印刷版供給装置における合紙分離装置での合紙分離動作を示す説明図であり、（Ａ）はリタードローラユニットが接触位置にある状態、（Ｂ）は離間位置にある状態である。
【図１０】本発明の第１実施形態の平版印刷版供給装置における合紙分離装置での平版印刷版搬送動作を示す説明図である。
【図１１】本発明の第１実施形態の平版印刷版供給装置における合紙分離装置での合紙搬送方向切替え動作を示す説明図であり、（Ａ）はリタードローラユニットが接触位置にある状態、（Ｂ）は離間位置にある状態である。
【符号の説明】
【００６２】
１２   平版印刷版供給装置
１４   載置部
１６   部
１８Ｂ 後端
１８   版束
２０Ｂ バック面
２０   平版印刷版
２０Ａ 平版印刷版
２２Ｂ バック面
２０Ｅ 感光剤面
２２   合紙
２２Ａ 合紙
２４   積層組
２４Ａ 積層組
５８   合紙分離装置
７７   判別装置
７８   有／無センサ
８０   判別センサ
８２   有／無センサ（第１光センサ）
８４   判別センサ（第３光センサ）
８６   判別センサ（第２光センサ）
８８   有／無無センサ
９０   判別センサ
９２   合紙検出センサ
【図１】
2005249403.tif 000004
【図２】
2005249403.tif 000005
【図３】
2005249403.tif 000006
【図４】
2005249403.tif 000007
【図５】
2005249403.tif 000008
【図６】
2005249403.tif 000009
【図７】
2005249403.tif 000010
【図８】
2005249403.tif 000011
【図９】
2005249403.tif 000012
【図１０】
2005249403.tif 000013
【図１１】
2005249403.tif 000014